(57)【要約】【課題】  より合理的に構成されたリング体を得ること。【解決手段】  当該リング体の一方の端部にはその先端をテーパー状に成形してなるフック２００を設けるとともに、他方の端部にはフックを挿入する円筒部３００を設け、更に、円筒部の内部にはフックを係止するロック機構４００を設け、円筒部は、他方の端部に固定された第１円筒部材３１０と、第１円筒部材に固定され且つその端部開口３２０ａからフックが挿入される第２円筒部材３２０と備え、ロック機構は、第１円筒部材と第２円筒部材との間に、フックを挿通するリング部材４１０を移動可能に設けるとともにリング部材を円筒部の内部壁面に向けて付勢する弾性体４２０を設けてなり、円筒部にフックを挿入すると、弾性体が弾性変形しつつリング部材が移動し、フックがリング部材を通過すると、弾性体がリング部材を押し戻すことによりフックが係止される構成とした。【選択図】図１
2009092151.tif 000002
【特許請求の範囲】
【請求項１】
一部を開放してなるリング体であって、当該リング体の一方の端部にはその先端をテーパー状に成形してなるフックを設けるとともに、当該リング体の他方の端部には前記フックを挿入する円筒部を設け、更に、前記円筒部の内部には前記フックを係止するロック機構を設けたリング体において、
前記円筒部は、前記他方の端部に固定された第１円筒部材と、前記第１円筒部材に固定され且つその端部開口から前記フックが挿入される第２円筒部材と備え、
前記ロック機構は、前記第１円筒部材と前記第２円筒部材との間に、前記フックを挿通するリング部材を移動可能に設けるとともに前記リング部材を前記円筒部の内部壁面に向けて付勢する弾性体を設けてなり、
前記円筒部に前記フックを挿入すると、前記弾性体が弾性変形しつつ前記リング部材が移動し、前記フックが前記リング部材を通過すると、前記弾性体が前記リング部材を押し戻すことにより前記フックが係止されることを特徴とするリング体。
【発明の詳細な説明】
【技術分野】
【０００１】
本発明は、環状に組み付けられるリング体に関するものである。
【背景技術】
【０００２】
一般に、止め具として利用されるロック機構を備えたリング体が知られている。特許文献１及び２には、この種のリング体が開示されている。
【特許文献１】特開２００３−２１９９５６号公報
【特許文献２】特開２００４−３６０４３２号公報
【発明の開示】
【発明が解決しようとする課題】
【０００３】
さて、これらの文献に開示されたリング体は、一旦環状に組み付けると、通常はこれを破壊しないと開放することができないという機能を有するものである。従って、ロック機構の信頼性が重要とされており、リング体の構造については、製造の容易化を達成するとともに、ロック機構の信頼性を確保すべく更なる工夫が求められている。本発明は、かかる事情に鑑みてなされたものであり、その目的は、より合理的に構成されたリング体を提供することである。
【課題を解決するための手段】
【０００４】
本願第１請求項に記載した発明は、一部を開放してなるリング体であって、当該リング体の一方の端部にはその先端をテーパー状に成形してなるフックを設けるとともに、当該リング体の他方の端部には前記フックを挿入する円筒部を設け、更に、前記円筒部の内部には前記フックを係止するロック機構を設けたリング体において、前記円筒部は、前記他方の端部に固定された第１円筒部材と、前記第１円筒部材に固定され且つその端部開口から前記フックが挿入される第２円筒部材と備え、前記ロック機構は、前記第１円筒部材と前記第２円筒部材との間に、前記フックを挿通するリング部材を移動可能に設けるとともに前記リング部材を前記円筒部の内部壁面に向けて付勢する弾性体を設けてなり、前記円筒部に前記フックを挿入すると、前記弾性体が弾性変形しつつ前記リング部材が移動し、前記フックが前記リング部材を通過すると、前記弾性体が前記リング部材を押し戻すことにより前記フックが係止される構成のリング体である。
【発明の効果】
【０００５】
本発明によれば、より合理的に構成されたリング体を得ることができる。
【発明を実施するための最良の形態】
【０００６】
以下に、本発明の実施例を図面に基づいて説明する。図１乃至図４に示す本例のリング体１は、一部を開放してなるとともに環状に組み付けられるものである。一旦環状に組み付けると、通常はこれを破壊しないと開放することができない。リング体１の本体は、金属線材を所定の形状に塑性変形して構成されている。
【０００７】
これらの図に示すように、当該リング体１の一方の端部にはその先端をテーパー状に成形してなるフック２００を設けるとともに、当該リング体１の他方の端部にはフック２００を挿入する円筒部３００を設け、更に、円筒部３００の内部にはフック２００を係止するロック機構４００を設けている。
【０００８】
円筒部３００は、当該リング体１の他方の端部に固定された第１円筒部材３１０と、第１円筒部材３１０に固定され且つその端部開口３２０ａからフック２００が挿入される第２円筒部材３２０と備えている。第１円筒部材３１０及び第２円筒部材３２０は、それらの一方の外周に雄ねじ部３１１を設けるとともに、それらの他方の外周に雌ねじ部３２１を設け、雄ねじ部３１１と雌ねじ部とを螺合することにより固定されている。
【０００９】
ロック機構４００は、第１円筒部材３１０と第２円筒部材３２０との間に、フック２００を挿通するリング部材４１０を移動可能に設けるとともにリング部材４１０を円筒部３００の内部壁面に向けて付勢する弾性体４２０を設けてなるものである。リング部材４１０は、その内径がフック２００の断面の最大直径より僅かに大きい部材である。或は、弾性変形可能なＣ型のリングであってもよい。リング部材４１０の移動方向は、フック２００の挿通方向に対し垂直である。弾性体４２０は、リング部材４１０と円筒部３００の内部壁面との間に介在されたゴム塊である。尚、弾性体４２０としては、スプリング又は板バネを採用することも可能である。また、リング部材４１０及び弾性体４２０は、部品点数を低減するという点で、それらを一体に形成することも可能である。
【００１０】
第１円筒部材３１０及び第２円筒部材３２０は、雌ねじ部３２１を設けたもの（図例では第２円筒部材３２０）の内部にリング部材４１０及び弾性体４２０を配置し、これに雄ねじ部３１１をもうけたもの（図例では第１円筒部材３１０）を螺合して組み付けられる。第１円筒部材３１０及び第２円筒部材３２０は、それらの間にリング部材４１０及び弾性体４２０を収納するスペースが形成される構成となっている。
【００１１】
第１円筒部材３１０は、第１円筒部材３１０及び第２円筒部材３２０を組み付けた後にリング体１の他方の端部に固定する。リング体１の他方の端部と第１円筒部材３１０とは、ねじ止め、接着、又は溶接にて固定する。図例では、接着剤を塗布したリング体１の他方の端部を第１円筒部材３１０に螺合挿入して固定している。
【００１２】
円筒部３００にフック２００を挿入すると、弾性体４２０が弾性変形しつつリング部材４１０が移動する。そして、フック２００がリング部材４１０を通過すると、弾性体４２０がリング部材４１０を押し戻すことによりフック２００が係止される。つまり、フック２００はリング部材４１０が突き当たることにより抜け止めされた状態となる。
【００１３】
尚、リング体１は、一旦環状に組み付けると、これを破壊しないと開放することができないものである。故に、フック２００を係止するロック機構４００については、製造段階において、リング体１の他方の端部に第１円筒部材３１０を固定する前に、予め図５に示すような検査を行うとよい。つまり、先端にフック２００を設けた棒状の検査体Ａを端部開口３２０ａから挿入し（図５（ａ）の矢印方向）、そのフック２００をロック機構４００により係止した状態とする。ここで、検査体Ａを反挿入方向（図５（ｂ）の矢印方向）に引っ張ることにより、ロック機構４００が正常に機能することを確認する。フック２００が円筒部３００から抜けてしまった場合、その円筒部３００は不良品である。かかる確認を終えた後、検査体Ａを端部開口３２０ａの反対側から引きぬく（図５（ｃ）の矢印方向）。検査体Ａの要所は、これを円滑に引きぬくことができるようにテーパー状に成形されている。この検査方法は、製品の良品率を向上するという点で非常に効果的である。
【００１４】
本例の構成によると、より合理的に構成されたリング体を得ることができる。すなわち、本例のリング体は、リング部材及び弾性体からなる信頼性の高いロック機構を備えたものであるとともに、第１円筒部材及び第２円筒部材にてロック機構を収納する円筒部を構成することにより、その製造の容易化を達成してなるものである。尚、本例における各部の構成は、特許請求の範囲に記載した技術的範囲において適宜に設計変更が可能であり、図例説明したものに限定されないことは勿論である。例えば、第１円筒部材及び第２円筒部材は、本例では螺合して組み付けるように構成したが、圧入嵌合して組み付けるように構成することも可能である。
【産業上の利用可能性】
【００１５】
本発明のリング体は、例えばキーホルダーの構成部品として好適に利用することが可能である。また、鞄やロッカー等を封印するための鍵輪として利用することも可能である。
【図面の簡単な説明】
【００１６】
【図１】本発明の実施例に係り、リング体を示す正面図である。
【図２】本発明の実施例に係り、フック及び円筒部を示す断面図である。
【図３】本発明の実施例に係り、（ａ）はフック及び円筒部を示す分解断面図であり、（ｂ）は（ａ）のＸ−Ｘ矢視断面図である。
【図４】本発明の実施例に係り、円筒部を示す分解断面図である。
【図５】本発明の実施例に係り、円筒部の検査方法の説明図である。
【符号の説明】
【００１７】
１    リング体
２００    フック
３００    円筒部
３１０    第１円筒部材
３１１    雄ねじ部
３２０    第２円筒部材
３２０ａ    端部開口
３２１    雌ねじ部
４００    ロック機構
４１０    リング部材
４２０    弾性体
Ａ    試験体
【図１】
2009092151.tif 000003
【図２】
2009092151.tif 000004
【図３】
2009092151.tif 000005
【図４】
2009092151.tif 000006
【図５】
2009092151.tif 000007